(57)【特許請求の範囲】
【請求項１】
物体側から像側へ順に配置された、正の屈折力の第１レンズ群、負の屈折力の第２レンズ群、正の屈折力の第３レンズ群、及び最も像側に配置された後群を有し、
広角端から望遠端へのズーミングに際して、前記第１レンズ群と前記第２レンズ群の間隔が増大し、前記第２レンズ群と前記第３レンズ群の間隔が縮小し、前記後群と該後群の物体側に隣接して配置されたレンズ群との間隔が縮小するように、少なくとも前記第１レンズ群、前記第２レンズ群、前記第３レンズ群、及び前記後群が移動し、ズーミングに際して隣り合うレンズ群の間隔が変化するズームレンズであって、
前記後群は、全焦点距離および全物体距離において正の屈折力を有し、
前記後群は、物体側から像側へ順に配置された、正の屈折力の第１部分群、負の屈折力の第２部分群、正または負の屈折力の第３部分群より構成され、ズーミングまたはフォーカシングに際して隣り合う部分群の間隔が変化し、フォーカシングに際して前記第２部分群が移動し、前記第３部分群は負レンズと正レンズを有し、
前記第１レンズ群の焦点距離をｆ１、無限遠物体にフォーカスしたときの広角端における前記後群の焦点距離をｆＲｗ、前記第２部分群の焦点距離をｆＲ２、前記第３部分群に含まれる負レンズの焦点距離をｆＲ３ｎとするとき、
０．４４≦ｆＲｗ／ｆ１＜０．６５
０．３＜ｆＲ３ｎ／ｆＲ２＜１．２
なる条件式を満足することを特徴とするズームレンズ。
【請求項２】
０．６＜｜ｆＲ２｜／ｆＲｗ＜１．２
なる条件式を満足することを特徴とする請求項１に記載のズームレンズ。
【請求項３】
前記第１部分群の焦点距離をｆＲ１とするとき、
０．４＜ｆＲ１／｜ｆＲ２｜＜０．９
なる条件式を満足することを特徴とする請求項１または２に記載のズームレンズ。
【請求項４】
前記第３部分群に含まれる正レンズの焦点距離をｆＲ３ｐとするとき、
０．３＜ｆＲ３ｐ／｜ｆＲ２｜＜１．２
なる条件式を満足することを特徴とする請求項１乃至３のいずれか１項に記載のズームレンズ。
【請求項５】
前記第２レンズ群の焦点距離をｆ２とするとき、
４．５＜ｆ１／｜ｆ２｜＜８．０
なる条件式を満足することを特徴とする請求項１乃至４のいずれか１項に記載のズームレンズ。
【請求項６】
望遠端において無限遠物体にフォーカスしているときにおける前記第２部分群の最も像側のレンズ面と前記第３部分群の最も物体側のレンズ面との光軸上の距離をＤＲ２３ｔとするとき、
０．０５＜ＤＲ２３ｔ／｜ｆＲ２｜＜０．３０
なる条件式を満足することを特徴とする請求項１乃至５のいずれか１項に記載のズームレンズ。
【請求項７】
無限遠物体にフォーカスしているときの広角端における全系の焦点距離をｆｗとするとき、
１．６＜ｆＲｗ／ｆｗ＜３．５
なる条件式を満足することを特徴とする請求項１乃至６のいずれか１項に記載のズームレンズ。
【請求項８】
前記第２部分群と前記第３部分群はズーミングに際して同一の軌跡で移動することを特徴とする請求項１乃至７のいずれか１項に記載のズームレンズ。
【請求項９】
前記第３レンズ群と前記後群の間に配置された、負の屈折力の第４レンズ群を有し、広角端から望遠端へのズーミングに際して前記第４レンズ群は物体側へ移動することを特徴とする請求項１乃至８のいずれか１項に記載のズームレンズ。
【請求項１０】
広角端から望遠端へのズーミングに際して、前記第１部分群、前記第２部分群、及び前記第３部分群は同一の軌跡で物体側へ移動することを特徴とする請求項１乃至８のいずれか１項に記載のズームレンズ。
【請求項１１】
前記第２部分群と前記第３部分群はズーミングに際して異なる軌跡で移動し、広角端から望遠端へのズーミングに際しての前記第２部分群の移動量をΔＸＲ２、前記第３部分群の移動量をΔＸＲ３とするとき、
０．７＜ΔＸＲ２／ΔＸＲ３＜１．３
なる条件式を満足することを特徴とする請求項１乃至７のいずれか１項に記載のズームレンズ。
【請求項１２】
広角端から望遠端へのズーミングに際して、前記第１部分群と前記第２部分群は同一の軌跡で物体側へ移動し、前記第３部分群は、前記第１部分群及び前記第２部分群とは異なる軌跡で物体側へ移動することを特徴とする請求項１乃至７のいずれか１項に記載のズームレンズ。
【請求項１３】
広角端から望遠端へのズーミングに際して、前記第１部分群と前記第３部分群は同一の軌跡で物体側へ移動し、前記第２部分群は、前記第１部分群及び前記第３部分群とは異なる軌跡で物体側へ移動することを特徴とする請求項１乃至７のいずれか１項に記載のズームレンズ。
【請求項１４】
請求項１乃至１３のいずれか１項に記載のズームレンズと、該ズームレンズによって形成される像を受光する光電変換素子とを有することを特徴とする撮像装置。
【発明の詳細な説明】
【技術分野】
【０００１】
本発明は、ズームレンズに関し、例えばデジタルスチルカメラ、ビデオカメラ、ＴＶカメラ、監視用カメラ等の撮像装置の撮像光学系として好適なものである。
【背景技術】
【０００２】
撮像装置用のズームレンズは、全体が小型であること、広画角であること、そして高ズーム比であること等が要求されている。高ズーム比化が比較的容易なズームレンズとして、物体側から像側へ順に、正の屈折力の第１レンズ群、負の屈折力の第２レンズ群を有した所謂ポジティブリードタイプのズームレンズが知られている。ポジティブリード型のズームレンズは、多くの場合、広角端から望遠端へのズーミングに際し、正の屈折力の第１レンズ群と負の屈折力の第２レンズ群の間隔が大きくなるようにレンズ群を移動させており、これにより高いズーム比を得ている。
【０００３】
またズームレンズにおいて、フォーカシングを高速に行うフォーカス方式として第１レンズ群以外の小型軽量のレンズ群でフォーカシングをする、所謂インナーフォーカス方式、（リアフォーカス方式）と呼ばれるものがある。従来、ポジティブリードタイプでインナーフォーカス方式を用いたズームレンズが知られている（特許文献１，２）。
【０００４】
特許文献１では、物体側から像側へ順に、正、負、正、正の第１レンズ群乃至第４レンズ群で構成されるズームレンズにおいて、第４レンズ群を物体側から像側へ順に、正の屈折力の第４Ａ群と負の屈折力の第４Ｆ群と正の屈折力の第４Ｂ群より構成している。そして第４Ｆ群を光軸上移動させてフォーカシングを行っている。特許文献２では、物体側より正、負、正、正、負の屈折力の第１レンズ群乃至第５レンズ群で構成されるズームレンズにおいて、第５レンズ群を光軸上移動してフォーカシングを行っている。
【先行技術文献】
【特許文献】
【０００５】
【特許文献１】特開平７−１３０７９号公報
【特許文献２】特開２０１１−９０１９０号公報
【発明の概要】
【発明が解決しようとする課題】
【０００６】
ズームレンズにおいて、全系の小型化を図ること、高ズーム比化を図ること、そしてフォーカシングを高速に行うには、例えば次の構成を適切に設定することが重要になってくる。ズームレンズを構成する各レンズ群の屈折力を適切に配分すること、フォーカシングに際して移動するレンズ群を適切に選択すること、そして各レンズ群をズーミングに際して効率的に移動させることである。
【０００７】
また、無限遠物体から至近物体までの全物体距離において高い光学性能を得るためには、フォーカシングに際して移動するレンズ群の構成を適切に設定する。そして屈折力及びフォーカシングに際して移動するレンズ群の物体側や像側に配置するレンズ群の屈折力、レンズ構成等を適切にすることが必要である。
【０００８】
特に光学系中の部分群を移動させることでフォーカシングを行う構成では、部分群の光軸上の移動量に対する結像面位置の移動量の比率（以下、フォーカス敏感度とする）が適切であることが重要である。フォーカス敏感度が小さいと、フォーカス駆動量が大きくなり、駆動機構も大きくなって全系が大型化してくる。フォーカス敏感度が大きいと、フォーカス駆動に必要な精度が高くなり、駆動制御が難しくなる。
【０００９】
本発明は、フォーカシングに際しての収差変動が少なく、全物体距離にわたり高い光学性能を有し、しかもフォーカシングを高速に行うことが容易なズームレンズ及びそれを有する撮像装置を提供することを目的とする。
【課題を解決するための手段】
【００１０】
本発明のズームレンズは、物体側から像側へ順に配置された、正の屈折力の第１レンズ群、負の屈折力の第２レンズ群、正の屈折力の第３レンズ群、及び最も像側に配置された後群を有し、
広角端から望遠端へのズーミングに際して、前記第１レンズ群と前記第２レンズ群の間隔が増大し、前記第２レンズ群と前記第３レンズ群の間隔が縮小し、前記後群と該後群の物体側に隣接して配置されたレンズ群との間隔が縮小するように、少なくとも前記第１レンズ群、前記第２レンズ群、前記第３レンズ群、及び前記後群が移動し、ズーミングに際して隣り合うレンズ群の間隔が変化するズームレンズであって、
前記後群は、全焦点距離および全物体距離において正の屈折力を有し、
前記後群は、物体側から像側へ順に配置された、正の屈折力の第１部分群、負の屈折力の第２部分群、正または負の屈折力の第３部分群より構成され、ズーミングまたはフォーカシングに際して隣り合う部分群の間隔が変化し、フォーカシングに際して前記第２部分群が移動し、前記第３部分群は負レンズと正レンズを有し、
前記第１レンズ群の焦点距離をｆ１、無限遠物体にフォーカスしたときの広角端における前記後群の焦点距離をｆＲｗ、前記第２部分群の焦点距離をｆＲ２、前記第３部分群に含まれる負レンズの焦点距離をｆＲ３ｎとするとき、
０．４４≦ｆＲｗ／ｆ１＜０．６５
０．３＜ｆＲ３ｎ／ｆＲ２＜１．２
なる条件式を満足することを特徴とする。
【発明の効果】
【００１１】
本発明によれば、フォーカシングに際しての収差変動が少なく、全物体距離にわたり高い光学性能を有し、しかもフォーカシングを高速に行うことが容易なズームレンズが得られる。
【図面の簡単な説明】
【００１２】
【図１】実施例１の広角端におけるレンズ断面図
【図２】（Ａ），（Ｂ）  実施例１の広角端における無限遠物体及び物体距離−５０ｃｍでの縦収差図
【図３】（Ａ），（Ｂ）  実施例１の望遠端における無限遠物体及び物体距離−５０ｃｍでの縦収差図
【図４】実施例２の広角端におけるレンズ断面図
【図５】（Ａ），（Ｂ）  実施例２の広角端における無限遠物体及び物体距離−５０ｃｍでの縦収差図
【図６】（Ａ），（Ｂ）  実施例２の望遠端における無限遠物体及び物体距離−５０ｃｍでの縦収差図
【図７】実施例３の広角端におけるレンズ断面図
【図８】（Ａ），（Ｂ）  実施例３の広角端における無限遠物体及び物体距離−５０ｃｍでの縦収差図
【図９】（Ａ），（Ｂ）  実施例３の望遠端における無限遠物体及び物体距離−５０ｃｍでの縦収差図
【図１０】実施例４の広角端におけるレンズ断面図
【図１１】（Ａ），（Ｂ）  実施例４の広角端における無限遠物体及び物体距離−５０ｃｍでの縦収差図
【図１２】（Ａ），（Ｂ）  実施例４の望遠端における無限遠物体及び物体距離−５０ｃｍでの縦収差図
【図１３】実施例５の広角端におけるレンズ断面図
【図１４】（Ａ），（Ｂ）  実施例５の広角端における無限遠物体及び物体距離−５０ｃｍでの縦収差図
【図１５】（Ａ），（Ｂ）  実施例５の望遠端における無限遠物体及び物体距離−５０ｃｍでの縦収差図
【図１６】実施例６の広角端におけるレンズ断面図
【図１７】（Ａ），（Ｂ）  実施例６の広角端における無限遠物体及び物体距離−５０ｃｍでの縦収差図
【図１８】（Ａ），（Ｂ）  実施例６の望遠端における無限遠物体及び物体距離−５０ｃｍでの縦収差図
【図１９】本発明によるズームレンズを使用した撮像装置の要部概略図
【発明を実施するための形態】
【００１３】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、正の屈折力の第３レンズ群、そして最も像側に配置された正の屈折力の後群を有している。後群は全焦点距離および全物体距離において正の屈折力を有する。後群は物体側から像側へ順に、正の屈折力の第１部分レンズ分群、負の屈折力の第２部分群、正または負の屈折力の第３部分群より構成され、ズーミングまたはフォーカシングに際して隣り合う部分群の間隔が変化する。フォーカシングに際して第２部分群が移動する。
【００１４】
図１は本発明の実施例１の広角端におけるレンズ断面図、図２（Ａ），（Ｂ）は実施例１の広角端での無限遠物体と物体距離５０ｃｍのときの縦収差図である。ここで物体距離５０ｃｍとは後述する数値実施例を「ｍｍ」単位で表したときの像面からの距離である。これは以下の各実施例においても同様である。図３（Ａ），（Ｂ）は実施例１の望遠端での無限遠物体と物体距離５０ｃｍのときの縦収差図である。
【００１５】
図４は本発明の実施例２の広角端におけるレンズ断面図、図５（Ａ），（Ｂ）は実施例２の広角端での無限遠物体と物体距離５０ｃｍのときの縦収差図である。図６（Ａ），（Ｂ）は実施例２の望遠端での無限遠物体と物体距離５０ｃｍのときの縦収差図である。図７は本発明の実施例３の広角端におけるレンズ断面図、図８（Ａ），（Ｂ）は実施例３の広角端での無限遠物体と物体距離５０ｃｍのときの縦収差図である。図９（Ａ），（Ｂ）は実施例３の望遠端での無限遠物体と物体距離５０ｃｍのときの縦収差図である。
【００１６】
図１０は本発明の実施例４の広角端におけるレンズ断面図、図１１（Ａ），（Ｂ）は実施例４の広角端での無限遠物体と物体距離５０ｃｍのときの縦収差図である。図１２（Ａ），（Ｂ）は実施例４の望遠端での無限遠物体と物体距離５０ｃｍのときの縦収差図である。図１３は本発明の実施例５の広角端におけるレンズ断面図、図１４（Ａ），（Ｂ）は実施例５の広角端での無限遠物体と物体距離５０ｃｍのときの縦収差図である。図１５（Ａ），（Ｂ）は実施例５の望遠端での無限遠物体と物体距離５０ｃｍのときの縦収差図である。
【００１７】
図１６は本発明の実施例６の広角端におけるレンズ断面図、図１７（Ａ），（Ｂ）は実施例６の広角端での無限遠物体と物体距離５０ｃｍのときの縦収差図である。図１８（Ａ），（Ｂ）は実施例６の望遠端での無限遠物体と物体距離５０ｃｍのときの縦収差図である。図１９は本発明のズームレンズを備える一眼レフカメラ(撮像装置)の要部概略図である。各実施例のズームレンズは、一眼レフカメラ、デジタルスチルカメラ、ビデオカメラ等の撮像装置に用いられる撮像光学系である。レンズ断面図において、左方が物体側（前方）で、右方が像側（後方）である。
【００１８】
Ｌｉは第ｉレンズ群である。ＬＲは後群である。Ｌ３１は第３１レンズ系、Ｌ３２は第３２レンズ系である。ＬＲ１は第１部分群、ＬＲ２は第２部分群、ＬＲ３は第３部分群である。ここでレンズ群とはズーミング又はフォーカシングに際して一体的に移動する、１以上のレンズを含むレンズ系をいう。ＳＰは絞り（開口絞り）である。ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００１９】
それぞれの縦収差図は、左から順に、球面収差、非点収差、歪曲、倍率色収差を表している。球面収差と倍率色収差を示す図において、ｄはｄ線（５８７．６ｎｍ）、ｇはｇ線（４３５．８ｎｍ）を表している。また、非点収差を示す図において、Ｓはｄ線のサジタル方向、Ｍはｄ線のメリディオナル方向を表している。また、歪曲を示す図は、ｄ線における歪曲を表している。ＦｎｏはＦナンバー、ωは半画角（度）である。
【００２０】
各実施例のズームレンズは、物体側から像側へ順に、正の屈折力の第１レンズ群Ｌ１、負の屈折力の第２レンズ群Ｌ２、正の屈折力の第３レンズ群Ｌ３、そして最も像側に配置された後群ＬＲを有する。後群は全焦点距離および全物体距離において正の屈折力を有する。後群ＬＲは物体側から像側へ順に、正の屈折力の第１部分群ＬＲ１、負の屈折力の第２部分群ＬＲ２、正のまたは負の屈折力の第３部分群ＬＲ３より構成されている。
【００２１】
後群ＬＲを構成する第１部分群ＬＲ１、第２部分群ＬＲ２、第３部分群ＬＲ３の隣り合う部分群の間隔はズーミング又はフォーカシングにおいて変化する。矢印は広角端から望遠端へのズーミングに際しての移動軌跡を示している。第２部分群ＬＲ２のFocusに関する矢印は無限遠物体から近距離物体へのフォーカシングに際しての移動する方向を示している。
【００２２】
広角端から望遠端へのズーミングに際しては、第１レンズ群Ｌ１と第２レンズ群Ｌ２の間隔が増大し、第２レンズ群Ｌ２と第３レンズ群Ｌ３の間隔が縮小する。更に後群ＬＲとその物体側に隣接したレンズ群の間隔が縮小するように少なくとも第１レンズ群Ｌ１、第３レンズ群Ｌ３、後群ＬＲが光軸上を移動する。フォーカシングに際しては第２部分群ＬＲ２が移動する。
【００２３】
各実施例ではこのような構成を取ることで、７０度程度の撮影画角を有し、広角端から望遠端へのズーミングを効率良く行い、全系がコンパクトで高ズーム比のズームレンズを実現している。
【００２４】
各実施例のズームレンズでは、正の屈折力の後群ＬＲを物体側から像側へ順に、正の屈折力の第１部分群ＬＲ１、負の屈折力の第２部分群ＬＲ２、正のまたは負の屈折力の第３部分群ＬＲ３で構成している。そしてフォーカシングに際して第２部分群ＬＲ２を光軸上移動させている。無限遠物体から至近距離物体までのフォーカシングに際して第２部分群ＬＲ２は像側へ移動する。第１部分群ＬＲ１は強い正の屈折力を有し、それによって第２部分群ＬＲ２に高いフォーカス敏感度を与えている。
【００２５】
また、第２部分群ＬＲ２は強い負の屈折力を有し、第１部分群ＬＲ１より発生する諸収差を補正しつつ、高いフォーカス敏感度を維持している。フォーカシングに際して移動する部分群である第２部分群ＬＲ２に高いフォーカス敏感度を与えることで、特に望遠端側で大きくなるフォーカシングに際しての駆動量を小さく抑えている。それにより、像側の第３部分群ＬＲ３までを含めた後群ＬＲ全体が光軸方向に大型化するのを軽減している。
【００２６】
またフォーカス駆動量を小さくすることで、像側の第３部分群ＬＲ３を、より第２部分群ＬＲ２に近接した位置に配置することができ、これによってフォーカシングの際に変動する諸収差を良好に補正している。
【００２７】
フォーカシングに際して移動する部分群に高いフォーカス敏感度を与えると、フォーカス駆動量を小さくすることができる反面、フォーカシングに際して、諸収差の変動が大きくなる。そのため各実施例では、フォーカシングに際して移動する部分群である第２部分群ＬＲ２の物体側に近接して第１部分群を配置し、像側に近接して第３部分群を配置している。これによってフォーカシングに際しての収差変動を良好に補正している。
【００２８】
特に像側に配置する第３部分群ＬＲ３を可能な限り第２部分群ＬＲ２に近接して配置することで、第２部分群ＬＲ２を通過した軸上光束の高さが低くならない位置で、第３部分群ＬＲ３で収差補正を行っている。これによりフォーカシングに際して大きく変動する軸上色収差や球面収差を良好に補正している。また、第２部分群ＬＲ２に第３部分群ＬＲ３を近接して配置することによっては軸外収差の補正を良好に行っている。
【００２９】
第２部分群ＬＲ２と第３部分群ＬＲ３の間隔が離れていると、軸外光束が強い負の屈折力の第２部分群ＬＲ２を通過し、像側の第３部分群ＬＲ３に入射するときの光軸からの高さが高くなる。このときの軸外光束を像面に導くためには第３部分群ＬＲ３に強い正の屈折力を与える必要があり、その結果、軸外収差が大きく発生し、また光軸から高い位置を通る光束が入射するためレンズ径も大径化する。
【００３０】
本発明のズームレンズではフォーカシングに際して移動するレンズ群である第２部分群ＬＲ２の像側に近接した位置に第３部分群ＬＲ３を配置することで、前述のような課題を解消しコンパクトで高い光学性能を有したズームレンズを実現している。
【００３１】
また、第３部分群ＬＲ３は負レンズと、正レンズを有した構成とすることで、収差補正を良好に行っている。第２部分群ＬＲ２でのフォーカシングの際に発生する収差変動は、透過する光線の光軸からの高さの変動及び第２部分群ＬＲ２からの射出角の変動が大きな要因となる。このため、第３部分群ＬＲ３を前述のようなレンズ構成とすることで、フォーカシングにより透過光線の高さや角度が変動しても、負成分と正成分のレンズにより、諸収差を補正して、フォーカシングに際しての収差変動を軽減している。
【００３２】
各実施例において、第１部分群ＬＲ１、第２部分群ＬＲ２、第３部分群ＬＲ３は、ズーミングに際して必ずしも一体で移動する必要はなく、ズーミングに際して各々を別の軌跡で光軸上を移動させても良い。各レンズ群を別々の軌跡で移動させることで、変倍の分担を分散させてより効率的な変倍を行うことが容易となる。各実施例ではフォーカシングに際し、第２部分群ＬＲ２が移動する。第１レンズ群Ｌ１の焦点距離をｆ１、無限遠物体にフォーカス時の広角端における後群ＬＲの焦点距離をｆＲｗとする。
【００３３】
このとき、
０．４４≦ｆＲｗ／ｆ１＜０．６５    ・・・（１）
なる条件式を満足する。条件式（１）は、第１レンズ群Ｌ１と後群ＬＲの焦点距離の比を規定し、主に全系の小型化と高い光学性能を得るためのものである。
【００３４】
条件式（１）の下限を超えて後群ＬＲの正の屈折力が強くなると、十分な長さのバックフォーカスを得るのが困難となると同時に、後群ＬＲ内で発生する諸収差の補正が困難となる。また条件式（１）の上限を超えて後群ＬＲの正の屈折力が弱くなると、後群ＬＲの変倍分担が小さくなり、所定のズーム比を確保しつつ全系の小型化を得るのが困難となる。
【００３５】
以上の如く構成することにより、フォーカシングに際して移動するレンズの小型・軽量化を実現し、且つフォーカス駆動量を小さくすることで駆動機構の負荷を軽減し、全系の大型化を抑制したズームレンズを得ている。また同時に、フォーカシングに際しての収差変動も抑制して全物体距離で高い光学性能を得ている。
【００３６】
各実施例において更に好ましくは次の条件式のうち１以上を満足するのが良い。第２部分群ＬＲ２の焦点距離をｆＲ２とする。第１部分群ＬＲ１の焦点距離をｆＲ１とする。第３部分群ＬＲ３は負レンズと正レンズを有する。第３部分群ＬＲ３に含まれる負レンズの焦点距離をｆＲ３ｎ、第３部分群ＬＲ３に含まれる正レンズの焦点距離をｆＲ３ｐとする。第２レンズ群Ｌ２の焦点距離をｆ２とする。
【００３７】
望遠端において、無限遠物体にフォーカス時の第２部分群ＬＲ２の最も像側のレンズ面と、第３部分群ＬＲ３の最も物体側のレンズ面の光軸上の距離をＤＲ２３ｔとする。第２部分群ＬＲ２と第３部分群ＬＲ３はズーミングに際して同一の軌跡で又は異なった軌跡で移動し、広角端から望遠端へのズーミングに際しての第２部分群ＬＲ２の移動量をΔＸＲ２、第３部分群ＬＲ３の移動量をΔＸＲ３とする。（移動量の符号は広角端から望遠端へのズーミングに際して物体側から像側へ移動するときを正、像側から物体側へ移動するときを負とする）無限遠物体にフォーカスしているときの広角端における全系の焦点距離をｆｗとする。
【００３８】
このとき、次の条件式のうち１以上を満足するのが良い。
０．６＜｜ｆＲ２｜／ｆＲｗ＜１．２          ・・・（２）
０．４＜ｆＲ１／｜ｆＲ２｜＜０．９          ・・・（３）
０．３＜ｆＲ３ｎ／ｆＲ２＜１．２            ・・・（４）
０．３＜ｆＲ３ｐ／｜ｆＲ２｜＜１．２        ・・・（５）
４．５＜ｆ１／｜ｆ２｜＜８．０              ・・・（６）
０．０５＜ＤＲ２３ｔ／｜ｆＲ２｜＜０．３０  ・・・（７）
０．７＜ΔＸＲ２／ΔＸＲ３＜１．３          ・・・（８）
１．６＜ｆＲｗ／ｆｗ＜３．５                ・・・（９）
【００３９】
次に前述の各実施例の技術的意味について説明する。条件式（２）は、フォーカシングを行う第２部分群ＬＲ２の焦点距離と、それを含む後群ＬＲの焦点距離との比を規定し、主に後群ＬＲの小型化と高い光学性能を得るためのものである。
【００４０】
条件式（２）の下限を超えて第２部分群ＬＲ２の負の屈折力が強くなると（負の屈折力の絶対値が大きくなると）、フォーカシングに際して収差変動が大きくなり光学性能が低下してくる。また同時に、第３部分群ＬＲ３に入射する光線の入射高さが高くなり第３部分群ＬＲ３の有効径が大きくなり、後群ＬＲ全体が大型化する。また条件式（２）の上限を超えて第２部分群ＬＲ２の負の屈折力が弱くなると（負の屈折力の絶対値が小さくなると）、フォーカス敏感度が小さくなり、フォーカス駆動のために必要な空気間隔が大きくなり、後群ＬＲ全体が大型化してくる。
【００４１】
条件式（３）は、後群ＬＲ内における第１部分群ＬＲ１と第２部分群ＬＲ２の焦点距離の比を規定し、主に第２部分群ＬＲ２に高いフォーカス敏感度を与えつつ、高い光学性能を得るためのものである。
【００４２】
条件式（３）の下限を超えて第１部分群ＬＲ１の正の屈折力が強くなると、フォーカス敏感度が高くなる反面、第１部分群ＬＲ１で発生する諸収差を第２部分群ＬＲ２と、第３部分群ＬＲ３で補正することが困難となる。また条件式（３）の上限を超えて第１部分群ＬＲ１の正の屈折力が弱くなると、フォーカス敏感度を高く維持することが難しくなると共に、後群ＬＲが全体として大型化してくる。
【００４３】
各実施例では第３部分群ＬＲ３は負レンズと、正レンズを有している。条件式（４）は、負レンズの焦点距離に関し、条件式（５）は正レンズの焦点距離に関する。条件式（４）及び（５）は、フォーカシングに際して変動する諸収差を良好に補正するためのものである。条件式（４）の下限を超えて負レンズの負の屈折力が強くなると、負レンズより発生する諸収差が多くなり、全体としての諸収差の補正のバランスが崩れてくる。また、全系のバックフォーカスが長くなり過ぎて全系が大型化してくる。
【００４４】
また条件式（４）の上限を超えて負レンズの負の屈折力が弱くなると、負レンズによる諸収差の補正が不足し、全体としての諸収差の補正のバランスが崩れてくる。条件式（５）の下限を超えて正レンズの正の屈折力が強くなると、正レンズにより諸収差が多く発生し、全体としての諸収差の補正のバランスが崩れてくる。また全系のバックファーカスが短くなってくるので良くない。また条件式（５）の上限を超えて正レンズの正の屈折力が弱くなると、正レンズによる諸収差の補正が不足し、全体としての諸収差の補正のバランスが崩れてくる。
【００４５】
収差補正能力が弱まり過ぎるため望ましくなし。第３部分群ＬＲ３を条件式（４）を満足する負レンズと条件式（５）を満足する正レンズを含む構成とすることで、フォーカス時の収差変動を第３部分群ＬＲ３でバランス良く補正して、全物体距離で高い光学性能を維持することができる。
【００４６】
条件式（６）は、第１レンズ群Ｌ１と第２レンズ群Ｌ２の焦点距離の比を規定し、主に高ズーム比化を図りつつ、全系のコンパクト化を図るためのものである。条件式（６）の下限を超えて第２レンズ群Ｌ２の負の屈折力が弱くなると、高ズーム比化のために第１レンズ群Ｌ１のズーミングに際しての移動量が大きくなり過ぎ、前玉有効径が増大し、全系が大型化してくる。また条件式（６）の上限を超えて第２レンズ群Ｌ２の負の屈折力が強くなると、第２レンズ群Ｌ２より諸収差が多く発生し、これらの諸収差の補正が困難となる。
【００４７】
条件式（７）は、第２部分群ＬＲ２の焦点距離に対する望遠端における第２部分群ＬＲ２と第３部分群ＬＲ３の空気間隔との比を規定する。条件式（７）は主にフォーカシングに際しての第２部分群ＬＲ２が移動スペースを十分確保しつつ、後群ＬＲの大型化を軽減するためのものである。
【００４８】
条件式（７）の下限を超えて第２部分群ＬＲ２と第３部分群ＬＲ３の空気間隔が小さくなると、フォーカシングに際して第２部分群ＬＲ２が移動できる量が小さくなってしまう。このため、撮影可能な範囲（距離）が狭まってしまうため望ましくない。また条件式（７）の上限を超えて第２部分群ＬＲ２と第３部分群ＬＲ３の空気間隔が大きくなると、後群ＬＲ全体が光軸方向に長くなって全系が大型化してくる。
【００４９】
条件式（８）は、広角端から望遠端へのズーミングに際しての第２部分群ＬＲ２と第３部分群ＬＲ３の光軸上の移動距離の比を規定する。条件式（８）は主にフォーカシングに際しての第２部分群ＬＲ２の移動スペースを十分確保しながらも、後群ＬＲ全体の大型化を軽減するためのものである。
【００５０】
条件式（８）の下限を超えて第２部分群ＬＲ２に比べて第３部分群ＬＲ３の移動量が大きくなると、望遠端において第２部分群ＬＲ２のフォーカシングに際しての移動スペースの確保が困難となる。また条件式（８）の上限を超えて第３部分群ＬＲ３に比べて第２部分群ＬＲ２の移動量が大きくなると、望遠端において後群ＬＲ全体が光軸方向に長くなって全系が大型化してくる。なお、第２部分群ＬＲ２と第３部分群ＬＲ３がズーミングに際して同じ軌跡で移動する場合は、条件式（８）の値は「１」となる。
【００５１】
条件式（９）は、広角端における全系の焦点距離に対する後群ＬＲの焦点距離の比を規定し、主に全系の小型化を図りつつ、高い光学性能を得るためのものである。条件式（９）の下限を超えて後群ＬＲの正の屈折力が強くなると、十分な長さのバックフォーカスを得るのが困難となると同時に、後群ＬＲより諸収差が多く発生し、このときの諸収差の補正が困難となる。また条件式（９）の上限を超えて後群ＬＲの正の屈折力が弱くなると、後群ＬＲの変倍分担が小さくなり、ズーミングに際しての移動量が増大し、全系の小型化が困難となる。
【００５２】
また、より好ましい形態とするには、前記各条件式の数値範囲を以下のように設定することが良い。
【００５３】
０．４４≦ｆＲｗ／ｆ１＜０．６０            ・・・（１ａ）
０．６５＜｜ｆＲ２｜／ｆＲｗ＜１．１０      ・・・（２ａ）
０．５＜ｆＲ１／｜ｆＲ２｜＜０．８          ・・・（３ａ）
０．４＜ｆＲ３ｎ／ｆＲ２＜１．１            ・・・（４ａ）
０．４＜ｆＲ３ｐ／｜ｆＲ２｜＜１．１        ・・・（５ａ）
５．０＜ｆ１／｜ｆ２｜＜７．５              ・・・（６ａ）
０．０７＜ＤＲ２３ｔ／｜ｆＲ２｜＜０．２５  ・・・（７ａ）
０．８＜ΔＸＲ２／ΔＸＲ３＜１．２          ・・・（８ａ）
１．８＜ｆＲｗ／ｆｗ＜３．２                ・・・（９ａ）
【００５４】
以上のように各実施例によれば、フォーカシングに際して移動するレンズ群の小型・軽量化を実現し、且つフォーカス駆動量を小さくすることで駆動機構の負荷を軽減したズームレンズが得られる。また同時に、フォーカシングに際しての収差変動も抑制して全物体距離で高い光学性能を有したズームレンズが得られる。また、各実施例のズームレンズは、その光学系の一部を光軸に対して垂直方向の成分を持つように移動させることで、光学系に振動が加わった時の像ぶれ（像位置変動）を補正する機能、所謂防振機能を付加させるのが良い。
【００５５】
実施例１乃至３，５，６では第３レンズ群Ｌ３を、物体側のより像側へ順に、正の屈折力の第３１レンズ系Ｌ３１、負の屈折力の第３２レンズ系Ｌ３２で構成している。この第３２レンズ系Ｌ３２を光軸に対して垂直方向の成分を持つように移動させることで防振を行っても良い。又第３１レンズ系Ｌ３１で防振を行っても良い。実施例４においては、負の屈折力の第４レンズ群Ｌ４を光軸に対して垂直方向の成分を持つように移動させることで、防振を行っても良い。また第３レンズ群Ｌ３の一部で防振を行っても良い。
【００５６】
このように防振機能を付加することで、全ズーム範囲で高い光学性能を発揮した、小型で高ズーム比のズームレンズを実現することができる。
【００５７】
次に各実施例のレンズ構成について説明する。実施例１，２，３では、物体側から像側へ順に、正の屈折力の第１レンズ群Ｌ１、負の屈折力の第２レンズ群Ｌ２、正の屈折力の第３レンズ群Ｌ３、正の屈折力の後続レンズ群ＬＲを有する。
【００５８】
広角端から望遠端へのズーミングに際し、第１レンズ群Ｌ１と第２レンズ群Ｌ２の間隔が増大するように、第１レンズ群Ｌ１が光軸上を単調に物体側に移動している。更に、第２レンズ群Ｌ２は変倍による像面位置の変動を補正するように光軸上を像側に凸状の軌跡で移動している。また同時に、第２レンズ群Ｌ２と第３レンズ群Ｌ３の間隔が縮小し、第３レンズ群Ｌ３と後群ＬＲの間隔が縮小するように、第３レンズ群と後群ＬＲが共に光軸上を単調に物体側に移動している。
【００５９】
広角端から望遠端へのズーミングに際して、後群ＬＲを構成する各部分群は同じ軌跡で物体側へ移動する。実施例１，２，３は４群構成のズームレンズとして取扱うことができる。後群ＬＲは、物体側から順に正の屈折力の第１部分群ＬＲ１、負の屈折力の第２部分群ＬＲ２、正の屈折力の像側の第３部分群ＬＲ３で構成されている。無限遠物体から至近物体までのフォーカシングに際しては、第２部分群ＬＲ２を光軸上に物体側から像側に移動している。
【００６０】
また、第３レンズ群Ｌ３は、正の屈折力の第３１レンズ系Ｌ３１と負の屈折力の第３２レンズ系Ｌ３２で構成している。像ぶれ補正に際して、第３２レンズ系Ｌ３２を光軸に対して垂直成分を持つ方向に移動している。即ち第３２レンズ系Ｌ３２で防振を行っている。
【００６１】
実施例４では実施例１乃至３に比べて、正の屈折力の第３レンズ群Ｌ３と後群ＬＲの間に、ズーミングに際して他のレンズ群とは独立して（異なった軌跡で）移動する負の屈折力の第４レンズ群Ｌ４を有していることが異なっている。広角端から望遠端へのズーミングに際しては、第４レンズ群Ｌ４、第３レンズ群Ｌ３、後群ＬＲとも異なる軌跡で光軸上を物体側に移動している。実施例４は５群構成のズームレンズとして取扱うことができる。
【００６２】
具体的には実施例４は、物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の後群ＬＲより構成されている。広角端から望遠端へのズームに際し、第１レンズ群Ｌ１と第２レンズ群Ｌ２の間隔が拡大し、第２レンズ群Ｌ２と第３レンズ群Ｌ３の間隔が縮小し、第３レンズ群Ｌ３と第４レンズ群Ｌ４の間隔が変化する。そして、第４レンズ群Ｌ４と後群ＬＲの間隔が縮小するように全てのレンズ群が移動している。
【００６３】
この時、第１レンズ群Ｌ１、第３レンズ群Ｌ３、第４レンズ群Ｌ４、後群ＬＲは単調に光軸上を像側から物体側に移動し、第２レンズ群Ｌ２は像側に凸状の軌跡を描くように移動する。後群ＬＲは、物体側から像側へ順に正の屈折力の第１部分群ＬＲ１、負の屈折力の第２部分群ＬＲ２、負の屈折力の像側の第３部分群ＬＲ３で構成されている。無限遠物体から至近物体までのフォーカシングに際しては、第２部分群ＬＲ２を光軸上に物体側から像側に移動している。
【００６４】
また、像ぶれ補正に際して第４レンズ群Ｌ４を光軸に対して垂直成分を持つ方向に移動している。即ち第４レンズ群Ｌ４で防振を行っている。
【００６５】
実施例５では、実施例１と同様に正の屈折力の第１レンズ群Ｌ１、負の屈折力の第２レンズ群Ｌ２、正の屈折力の第３レンズ群Ｌ３、正の屈折力の後群ＬＲより構成されている。後群ＬＲのレンズ構成は実施例１と同じである。但し、本実施例では実施例１に比べてズーミングに際して後群ＬＲ内の一部の部分群を他の部分群とは異なる軌跡で移動していることが異なっている。
【００６６】
具体的に実施例５では広角端から望遠端へのズーミングに際し、第１レンズ群Ｌ１と第２レンズ群Ｌ２の間隔が拡大し、第２レンズ群Ｌ２と第３レンズ群Ｌ３の間隔が縮小する。そして第３レンズ群Ｌ３と後群ＬＲの間隔が縮小するように全てのレンズ群が光軸上を移動している。またこの時、後群ＬＲ内の第２部分群ＬＲ２と第３部分群ＬＲ３の間隔が拡大するように、第１部分群ＬＲ１と第２部分群ＬＲ２は同じ軌跡で移動する。そして、第３部分群ＬＲ３は第１部分群ＬＲ１と第２部分群ＬＲ２に対して異なる軌跡で移動する。
【００６７】
この時、第１レンズ群Ｌ１、第３レンズ群Ｌ３、後群（各部分群ＬＲ１，ＬＲ２，ＬＲ３とも）ＬＲは単調に光軸上を像側から物体側に移動し、第２レンズ群Ｌ２は像側に凸状の軌跡を描くように移動する。
【００６８】
実施例５は５群構成のズームレンズとして取扱うことができる。無限遠物体から至近物体までのフォーカシングに際しては、第２部分群ＬＲ２を光軸上に物体側から像側に移動している。また、第３レンズ群Ｌ３は、正の屈折力の第３１レンズ系Ｌ３１と負の屈折力の第３２レンズ系Ｌ３２で構成されている。像ぶれ補正に際して第３２レンズ系Ｌ３２を光軸に対して垂直成分を持つ方向に移動している。即ち第３２レンズ系Ｌ３２で防振を行っている。
【００６９】
実施例６では、実施例１と同様に正の屈折力の第１レンズ群Ｌ１、負の屈折力の第２レンズ群Ｌ２、正の屈折力の第３レンズ群Ｌ３、正の屈折力の後群ＬＲより構成されている。後群ＬＲのレンズ構成は実施例１と同じである。但し、本実施例では実施例１に比べてズーミングに際して後群ＬＲ内の一部の部分群を他の部分群とは異なる軌跡で移動していることが異なっている。
【００７０】
具体的に実施例６では、広角端から望遠端へのズーミングに際し、第１レンズ群Ｌ１と第２レンズ群Ｌ２の間隔が拡大し、第２レンズ群Ｌ２と第３レンズ群Ｌ３の間隔が縮小する。そして、第３レンズ群Ｌ３と後群ＬＲの間隔が縮小するように全てのレンズ群が光軸上を移動している。またこの時、後群ＬＲの各部分群間隔が変化するように、第１部分群ＬＲ１と第３部分群ＬＲ３は同じ軌跡で移動し、第２部分群ＬＲ２は第１部分群ＬＲ１と第３部分群ＬＲ３に対して異なる軌跡で移動する。
【００７１】
この時、広角端から望遠端へのズーミングに際し、第１レンズ群Ｌ１、第３レンズ群Ｌ３、後群ＬＲ（各部分群ＬＲ１，ＬＲ２，ＬＲ３とも）は単調に光軸上を像側から物体側に移動する。そして、第２レンズ群Ｌ２は像側に凸状の軌跡を描くように移動する。実施例６は６群構成のズームレンズとして取扱うことができる。無限遠物体から至近物体までのフォーカシングに際しては、第２部分群ＬＲ２を光軸上に物体側から像側に移動して合焦を行っている。
【００７２】
また、第３レンズ群Ｌ３は、正の屈折力の第３１レンズ系Ｌ３１と負の屈折力の第３２レンズ系Ｌ３２で構成されている。像ぶれ補正に際して、第３２レンズ系Ｌ３２を光軸なに対して垂直成分を持つ方向に移動している。即ち、第３２レンズ系Ｌ３２で防振を行っている。
【００７３】
次に、本発明のズームレンズを用いた一眼レフカメラシステム（撮像装置）の実施例を、図１９を用いて説明する。図１９において、１０は一眼レフカメラ本体、１１は本発明によるズームレンズを搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するための回動するクイックリターンミラーである。
【００７４】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。このように本発明のズームレンズを一眼レフカメラ等の交換レンズ等の撮像装置に適用することにより、高い光学性能を有した撮像装置が実現できる。
【００７５】
尚、本発明はクイックリターンミラーのない一眼レフカメラにも同様に適用することができる。又、プロジェクター用の投射レンズにも同様に適用することができる。
【００７６】
次に本発明の実施例１乃至６に対応する数値実施例１乃至６を示す。各数値実施例においてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。ＢＦはバックフォーカスであり、最終レンズ面から像面までの距離で示している。レンズ全長は第１レンズ面から像面までの距離である。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０，Ａ１２を各々非球面係数としたとき、
【００７７】
【数１】
0006436656.tif 000002
【００７８】
なる式で表している。また［ｅ＋Ｘ］は［×１０＋ｘ］を意味し、［ｅ−Ｘ］は［×１０＋ｘ］を意味している。非球面は面番号の後に＊を付加して示す。また、各光学面の間隔dが（可変）となっている部分は、ズーミングに際して変化するものであり、別表に焦点距離に応じた面間隔を記している。また前述の各パラメータ及び各条件式と数値実施例の関係を表１に示す。
【００７９】
（数値実施例１）
単位 mm
面データ
面番号       r        d      nd         νd
1        110.347    1.85   1.74000    28.3           
2         52.733    7.53   1.48749    70.2           
3        764.611    0.15                             
4         54.889    4.95   1.60311    60.6           
5        381.774   (可変)                             
6         64.179    1.20   1.83481    42.7           
7         13.157    6.80                             
8        -78.867    0.90   1.80400    46.6           
9         31.715    0.20                             
10         21.115    6.00   1.80518    25.4           
11        -35.969    0.71                             
12        -27.188    0.85   1.74400    44.8           
13         97.550   (可変)                             
14(絞り)    ∞       0.55                             
15         78.410    1.64   1.72000    42.0           
16         90.342    0.15                             
17         21.886    5.29   1.48749    70.2           
18        -15.686    1.00   1.80518    25.4           
19        -39.416    2.25                             
20        -56.499    2.64   1.80518    25.4           
21        -16.441    0.80   1.70154    41.2           
22        151.848   (可変)                             
23         81.809    3.07   1.48749    70.2           
24        -20.295    0.09                             
25         26.977    2.28   1.70000    48.1           
26       -752.713    1.36                             
27        -24.828    0.80   1.84666    23.8           
28        -63.464    0.60                             
29       -300.208    2.98   1.84666    23.8           
30        -17.770    0.80   1.78590    44.2           
31         30.120    4.23                             
32         61.846    0.80   1.84666    23.8           
33         20.540    3.72   1.58313    59.4           
34*       -93.262   (可変)                             
像面        ∞   
【００８０】
非球面データ
第34面
K = 0.00  A 4=-1.66483e-8  A 6=-2.06148e-8  A 8=-2.73127e-10  A10= 4.94073e-12  A12=-3.01426e-14  
各種データ
焦点距離      18.57    41.05    73.50    
Fナンバー      3.60     4.72     5.80    
半画角（度）  36.34    18.40    10.53    
像高          13.66    13.66    13.66    
レンズ全長   137.75   158.01   178.26   
BF            35.40    52.02    67.47    
d 5            0.80    19.78    32.13    
d13           30.65    16.92    10.28    
d22            4.72     3.09     2.20    
d34           35.40    52.02    67.47    
ズームレンズ群データ
群     焦点距離  
L1      94.07  
L2     -15.36  
L3       78.40
LR       41.11
L31     42.63  
L32    -79.69  
LR1     25.91  
LR2    -39.08  
LR3    140.11  
【００８１】
（数値実施例２）
面データ
面番号       r        d      nd         νd
1        165.551    1.85   1.74000    28.3           
2         68.985    6.83   1.48749    70.2           
3       -463.698    0.15                             
4         51.245    5.02   1.60311    60.6           
5        166.929  (可変)                             
6         53.693    1.20   1.83481    42.7           
7         13.631    6.46                             
8        -49.684    0.90   1.80400    46.6           
9         36.612    0.88                             
10         24.305    5.40   1.80518    25.4           
11        -33.019    0.75                             
12        -25.376    0.85   1.74400    44.8           
13        104.315  (可変)                             
14(絞り)    ∞       0.55                             
15         81.804    2.74   1.72000    42.0           
16      -10323.419    0.15                             
17         28.604    4.69   1.48749    70.2           
18        -18.093    1.00   1.80518    25.4           
19        -34.298    2.11                             
20        -57.338    2.51   1.80518    25.4           
21        -16.836    0.80   1.72047    34.7           
22        177.836  (可変)                             
23         28.981    5.01   1.69680    55.5           
24*       -18.896    0.20                             
25        -23.022    0.80   1.84666    23.8           
26        -53.031    0.60                             
27       -244.302    2.27   1.84666    23.8           
28        -29.544    0.80   1.80400    46.6           
29         34.409    4.84                             
30        -53.602    0.80   1.83400    37.2           
31         36.203    4.27   1.58313    59.4           
32*       -25.396  (可変)                             
像面        ∞   
【００８２】
非球面データ
第24面
K = 0.00  A 4= 4.54345e-5  A 6=-6.51781e-8  A 8= 1.19803e-10  A10=-7.78067e-13  A12= 6.01463e-15  
第32面
K = 0.00  A 4=-2.84290e-6  A 6= 2.13396e-8  A 8= 3.20755e-10  A10=-8.29682e-13  A12= 8.93811e-16  
各種データ
広角     中間     望遠
焦点距離      18.56    42.00    73.50  
Fナンバー      3.60     4.82     5.66  
半画角（度）  36.35    18.02    10.53  
像高          13.66    13.66    13.66  
レンズ全長   137.61   157.86   178.11  
BF            35.40    54.25    66.26  
d 5            0.80    21.20    36.42  
d13           28.88    15.11     9.79  
d22            8.11     2.87     1.22  
d32           35.40    54.25    66.26  
ズームレンズ群データ
群      焦点距離  
L1       98.95  
L2      -14.82  
L3       49.98
LR       55.03
L31      32.39  
L32     -76.57  
LR1      25.62  
LR2     -39.21  
LR3     506.28  
【００８３】
（数値実施例３）
面データ
面番号       r        d      nd         νd
1        214.638    1.85   1.74000    28.3           
2         69.973    8.12   1.48749    70.2           
3       -209.089    0.15                             
4         48.332    4.35   1.60311    60.6           
5        133.887  (可変)                             
6         74.982    1.20   1.83481    42.7           
7         14.453    6.24                             
8        -54.047    0.90   1.80400    46.6           
9         33.864    0.20                             
10         23.421    7.40   1.80518    25.4           
11        -29.002    0.70                             
12        -23.511    0.85   1.74400    44.8           
13        117.191  (可変)                             
14(絞り)    ∞       0.55                             
15         78.779    2.20   1.72000    42.0           
16        189.503    0.15                             
17         24.228    4.77   1.48749    70.2           
18        -18.073    1.00   1.80518    25.4           
19        -36.419    2.15                             
20        -61.816    2.63   1.80518    25.4           
21        -15.798    0.80   1.73800    32.3           
22        178.713  (可変)                             
23*        36.878    4.38   1.75501    51.2           
24        -21.890    0.32                             
25        -19.488    0.80   1.84666    23.8           
26        -29.333    0.60                        
27        623.435    2.79   1.84666    23.8           
28        -23.724    0.80   1.78590    44.2           
29         27.711    4.53                             
30      -1132.578    0.80   1.84666    23.8           
31         33.589    3.62   1.48749    70.2           
32        -37.753  (可変)                             
像面        ∞   
【００８４】
非球面データ
第23面
K = 0.00  A 4=-2.33355e-5  A 6= 7.36830e-9  A 8= 5.78206e-10  A10=-9.29508e-12  A12= 5.42301e-14  
各種データ
焦点距離      18.57    41.81    73.50     
Fナンバー      3.60     4.77     5.76     
半画角（度）  36.34    18.09    10.53     
像高          13.66    13.66    13.66    
レンズ全長   136.74   156.99   177.24   
BF            35.40    53.60    67.62      
d 5            1.22    20.66    34.21      
d13           27.96    14.51     8.90      
d22            7.33     3.40     1.68      
d32           35.40    53.60    67.62     
ズームレンズ群データ
群      焦点距離  
L1       97.05  
L2      -14.98  
L3        54.15
LR        49.43
L31      34.19  
L32     -77.42  
LR1      25.35  
LR2     -41.09  
LR3     545.91  
【００８５】
（数値実施例４）
面データ
面番号       r        d      nd         νd
1        162.805    1.85   1.74000    28.3           
2         62.439    7.79   1.48749    70.2           
3       -284.718    0.15                             
4         47.782    4.83   1.60311    60.6           
5        158.564  (可変)                             
6         76.074    1.20   1.83481    42.7           
7         13.549    6.45                             
8        -46.781    0.90   1.80400    46.6           
9         38.187    0.20                             
10         23.625    7.32   1.80518    25.4           
11        -28.166    0.64                             
12        -23.035    0.85   1.74400    44.8           
13        142.922  (可変)                             
14(絞り)    ∞       0.55                             
15         77.846    2.31   1.51742    52.4           
16        976.290    0.15                             
17         28.151    4.84   1.48749    70.2           
18        -17.485    1.00   1.80518    25.4           
19        -33.360  (可変)                             
20        -64.615    2.66   1.80518    25.4           
21        -16.569    0.80   1.73800    32.3           
22        185.586  (可変)                             
23*        35.701    4.57   1.72916    54.7           
24        -22.179    0.20                             
25        -20.909    0.80   1.84666    23.8           
26        -31.149    0.59                             
27        200.849    2.69   1.84666    23.8           
28        -29.044    0.80   1.80400    46.6           
29         29.612    4.76                             
30        182.838    0.80   1.85026    32.3           
31         16.235    4.65   1.58313    59.4           
32*       -64.470  (可変)                             
像面        ∞   
【００８６】
非球面データ
第23面
K = 0.00  A 4=-2.27253e-5  A 6=-1.01359e-8  A 8= 5.03534e-10  A10=-8.43319e-12  A12= 4.77228e-14  
第32面
K = 0.00  A 4=-9.51341e-6  A 6= 3.09037e-8  A 8=-2.72655e-9  A10= 3.27657e-11  A12=-1.63599e-13  
各種データ
広角     中間     望遠
焦点距離      18.57    44.24    82.50  
Fナンバー      3.60     4.88     5.88  
半画角（度）  36.34    17.16     9.40  
像高          13.66    13.66    13.66  
レンズ全長   139.61   159.86   180.12  
BF            35.40    54.41    68.29  
d 5            1.09    20.91    35.01  
d13           28.52    14.78     8.86  
d19            2.02     2.08     2.02  
d22            8.23     3.34     1.60  
d32           35.40    54.41    68.29  
ズームレンズ群データ
群     焦点距離  
L1       89.79  
L2      -14.47  
L3       34.96  
L4      -80.66  
LR       51.79
LR1      25.70  
LR2     -47.08  
LR3    -411.43  
【００８７】
（数値実施例５）
面データ
面番号       r        d      nd         νd
1        117.546    1.85   1.74000    28.3           
2         51.766    8.56   1.48749    70.2           
3       -677.372    0.15                             
4         46.289    5.24   1.60311    60.6           
5        223.178  (可変)                             
6         87.787    1.20   1.83481    42.7           
7         13.198    6.63                             
8        -57.521    0.90   1.80400    46.6           
9         37.266    0.19                             
10         22.699    5.76   1.80518    25.4           
11        -32.785    0.33                             
12        -27.045    0.85   1.74400    44.8           
13        115.976  (可変)                             
14(絞り)    ∞       0.55                             
15         78.049    1.96   1.84666    23.8           
16        148.928    0.15                             
17         23.319    5.08   1.48749    70.2           
18        -16.457    1.00   1.80518    25.4           
19        -41.098    2.26                             
20        -58.013    2.56   1.80518    25.4           
21        -16.747    0.80   1.70154    41.2           
22        138.515  (可変)                             
23         76.273    3.15   1.48749    70.2           
24        -20.764    0.09                             
25         29.597    2.36   1.72916    54.7           
26       -160.448    1.14                             
27        -26.364    0.80   1.84666    23.8           
28       -145.537    0.78                             
29      -3668.279    2.95   1.84666    23.8           
30        -19.152    0.80   1.80440    39.6           
31         27.320  (可変)                             
32         58.036    0.80   1.85026    32.3           
33         20.521    3.71   1.58313    59.4           
34*       -73.664  (可変)                             
像面        ∞   
【００８８】
非球面データ
第34面
K = 0.00  A 4=-4.02815e-6  A 6=-3.47250e-8  A 8=-1.46505e-10  A10= 5.15203e-12  A12=-4.34228e-14  
各種データ
広角     中間     望遠
焦点距離      18.59    47.22    94.99  
Fナンバー      3.60     4.92     5.88  
半画角（度）  36.31    16.14     8.18  
像高          13.66    13.66    13.66  
レンズ全長   137.78   158.04   178.30  
BF            35.39    52.79    64.61  
d 5            0.79    20.10    33.73  
d13           31.25    16.12     8.74  
d22            5.77     2.99     2.16  
d31            1.98     3.45     6.47  
d34           35.39    52.79    64.61  
ズームレンズ群データ
群     焦点距離  
L1       80.26  
L2      -14.86  
L3       64.90
LR       45.42
L31       38.40  
L32      -78.43  
LR1       28.06  
LR2      -36.43  
LR3      104.72  
【００８９】
（数値実施例６）
面データ
面番号       r        d      nd         νd
1        154.504    1.85   1.74000    28.3           
2         66.490    6.84   1.48749    70.2           
3       -616.734    0.15                             
4         51.487    5.08   1.60311    60.6           
5        180.419  (可変)                             
6         53.378    1.20   1.83481    42.7           
7         13.294    6.58                             
8        -47.902    0.90   1.80400    46.6           
9         37.489    0.55                             
10         23.729    5.46   1.80518    25.4           
11        -32.611    0.74                             
12        -24.987    0.85   1.74400    44.8           
13        115.031  (可変)                             
14(絞り)    ∞       0.55                             
15         82.880    2.35   1.72000    42.0           
16      -4260.764    0.15                             
17         28.898    4.92   1.48749    70.2           
18        -17.940    1.00   1.80518    25.4           
19        -33.792    2.10                             
20        -57.310    2.52   1.80518    25.4           
21        -16.867    0.80   1.72047    34.7           
22        176.987  (可変)                             
23         28.980    4.99   1.69680    55.5           
24*       -18.910    0.20                             
25        -23.011    0.80   1.84666    23.8           
26        -53.300  (可変)                             
27       -245.053    2.26   1.84666    23.8           
28        -29.659    0.80   1.80400    46.6           
29         34.116  (可変)                             
30        -56.305    0.80   1.83400    37.2           
31         37.287    4.20   1.58313    59.4           
32*       -25.966  (可変)                             
像面        ∞   
【００９０】
非球面データ
第24面
K = 0.00  A 4= 4.47207e-5  A 6=-5.86769e-8  A 8= 5.60136e-12  A10= 8.36000e-13  A12=-3.17646e-15  
第32面
K = 0.00  A 4=-2.76888e-6  A 6= 1.84329e-8  A 8= 3.65981e-10  A10=-1.17838e-12  A12= 1.68456e-15  
各種データ
広角     中間     望遠
焦点距離      18.56    42.63    75.00  
Fナンバー      3.60     4.83     5.68  
半画角（度）  36.35    17.77    10.32  
像高          13.66    13.66    13.66  
レンズ全長   137.61   157.86   178.11  
BF            35.40    54.27    66.31  
d 5            0.80    21.35    36.47  
d13           29.07    15.07     9.79  
d22            8.03     2.85     1.22  
d26            0.60     0.76     0.77  
d29            5.08     4.91     4.90  
d32           35.40    54.27    66.31  
ズームレンズ群データ
群     焦点距離  
L1       97.82  
L2      -14.69  
L3       49.96
LR       54.99
L31       32.37  
L32      -76.36  
LR1       25.69  
LR2      -38.91  
LR3      434.21  
【００９１】
【表１】
0006436656.tif 000003
【符号の説明】
【００９２】
Ｌ１  第１レンズ群    Ｌ２  第２レンズ群    Ｌ３  第３レンズ群
Ｌ４  第４レンズ群    ＬＲ  後群    Ｌ３１  第３１レンズ系
Ｌ３２  第３２レンズ系    ＬＲ１  第１部分群
ＬＲ２  第２部分群    ＬＲ３  第３部分群
【図１】
0006436656.tif 000004
【図２】
0006436656.tif 000005
【図３】
0006436656.tif 000006
【図４】
0006436656.tif 000007
【図５】
0006436656.tif 000008
【図６】
0006436656.tif 000009
【図７】
0006436656.tif 000010
【図８】
0006436656.tif 000011
【図９】
0006436656.tif 000012
【図１０】
0006436656.tif 000013
【図１１】
0006436656.tif 000014
【図１２】
0006436656.tif 000015
【図１３】
0006436656.tif 000016
【図１４】
0006436656.tif 000017
【図１５】
0006436656.tif 000018
【図１６】
0006436656.tif 000019
【図１７】
0006436656.tif 000020
【図１８】
0006436656.tif 000021
【図１９】
0006436656.tif 000022